(57)【要約】【課題】１払出動作で同種類の硬貨の１枚払い出しと２枚等の複数枚払い出しとを容易に切り替え可能とする。【解決手段】コインベースの表面に任意数の硬貨を収納する硬貨任意数分の深さの溝を形成し、且つ、溝には前記硬貨任意数分の高さのスペーサを着脱可能とし、溝へのスペーサの着脱の有無に対応して、コインベースとコインチューブとの間に１枚又は複数枚の硬貨を支持可能とし、ペイアウトスライドに、溝内の任意数の硬貨を搬送するための、ペイアウトスライドから下方に延びる円筒状の硬貨搬送部を形成することにより、溝へのスペーサの着脱の有無に対応して、ペイアウトスライドの硬貨収納穴に１枚又は複数枚の硬貨を収納可能とし、且つ、円筒状の硬貨搬送部の一部を切り欠くことにより、溝に装着されたスペーサを払出動作時に逃がす隙間を形成して、ペイアウトスライドをスペーサの着脱の有無に拘わらず払出動作可能として、１枚又は複数枚の硬貨を払出可能とした。【選択図】図３
2015115033.tif 000002
【特許請求の範囲】
【請求項１】
硬貨を収納するコインチューブと、
前記硬貨を支持するコインベースと、
ペイアウトリンクとペイアウトスライドとチェンジスライドとを有する、前記硬貨の払い出しを行う、ペイアウトアセンブリと、
を備える硬貨処理装置であって、
前記コインベースの表面に任意数の硬貨を収納する硬貨任意数分の深さの溝を形成し、且つ、前記溝には前記硬貨任意数分の高さのスペーサを着脱可能とし、前記溝への前記スペーサの着脱の有無に対応して、前記コインベースと前記コインチューブとの間に１枚又は複数枚の硬貨を支持可能とし、
前記ペイアウトスライドに、前記溝内の前記任意数の硬貨を搬送するための、前記ペイアウトスライドから下方に延びる円筒状の硬貨搬送部を形成することにより、前記溝への前記スペーサの着脱の有無に対応して、前記ペイアウトスライドの硬貨収納穴に１枚又は前記複数枚の硬貨を収納可能とし、且つ、円筒状の前記硬貨搬送部の一部を切り欠くことにより、前記溝に装着された前記スペーサを払出動作時に逃がす隙間を形成して、前記ペイアウトスライドを前記スペーサの着脱の有無に拘わらず払出動作可能として、１枚又は前記複数枚の硬貨を払出可能とした、
ことを特徴とする硬貨払出装置。
【請求項２】
前記チェンジスライドは表面と裏面にそれぞれ硬貨支持面を有し、前記チェンジスライドは前記表面を上にした状態と裏面を上にした状態の何れの状態でも前記ペイアウトリンクへ組み込み可能に構成され、前記表面を上にした状態で組み込まれた場合には表面側の前記硬貨支持面のレベルが前記溝の底面と同じレベルとなり、前記裏面を上にした状態で組み込まれた場合には裏面側の前記硬貨支持面のレベルが前記コインベースの前記表面と同じレベルとなるように構成されている、ことを特徴とする請求項１に記載の硬貨払出装置。
【請求項３】
前記コインベースの前記溝は１枚の硬貨の高さ分の深さに形成されていることを特徴とする請求項１又は２に記載の硬貨払出装置。
【発明の詳細な説明】
【技術分野】
【０００１】
本発明は、自動販売機、両替機及びその他の各種サービス機器等に用いられる硬貨処理装置に関する。
【背景技術】
【０００２】
一般に、自動販売機等における硬貨処理装置においては、以下のような動作が行われている。即ち、先ず、投入された硬貨の正偽を硬貨選別部で判別し、正偽貨を選別する。正貨とみなされた硬貨を硬貨収納部に横積み状態に収納する。収納した硬貨を下にあるものから釣り銭の額に応じた硬貨として硬貨払出部で払い出す。例えば１０円、５０円、１００円、５００円の各種の硬貨を組み合わせて釣り銭として払い出す。この際、同一種類の硬貨は１払出動作で１枚の硬貨を払い出している。例えば、釣り銭が３０円の時は、３払出動作をして１０円硬貨を３枚払い出している。
【先行技術文献】
【特許文献】
【０００３】
【特許文献１】特開２０１２−１１８５９７
【発明の概要】
【発明が解決しようとする課題】
【０００４】
前述のように、従来の自動販売機等の硬貨処理装置では一般的には１払出動作で同種類の硬貨は１枚だけしか払い出されない。このようにしていることは、販売価格と釣り銭との関係で、１払出動作で同種類の硬貨が１枚払い出されれば足りる場合には好適である。しかしながら、上記のように、同種類の硬貨を複数枚払い出さないといけない場合には好適とは言えない。つまり、このような場合には、１払出動作で同種類の硬貨が複数枚払い出しできるようにしておくと都合が良い。しかし、１払出動作で同種類の硬貨を例えば２枚払いだそうとすると、自動販売機等によっては２枚の硬貨が釣銭受け口で詰まったりすることも考えられる。また、そもそも搬送リフターとして搬送枚数の制限されたものを用いている自動販売機等もあり、このような装置では払い出し枚数を２枚等の複数にはできない。
【０００５】
本発明は、上記に鑑みてなされたもので、その目的は、１払出動作で同種類の硬貨の１枚払い出しと、２枚等の複数枚払い出しと、を容易に切り替え可能な硬貨処理装置を提供することにある。
【課題を解決するための手段】
【０００６】
本発明の硬貨処理装置は、
硬貨を収納するコインチューブと、
前記硬貨を支持するコインベースと、
ペイアウトリンクとペイアウトスライドとチェンジスライドとを有する、前記硬貨の払い出しを行う、ペイアウトアセンブリと、
を備える硬貨処理装置であって、
前記コインベースの表面に任意数の硬貨を収納する硬貨任意数分の深さの溝を形成し、且つ、前記溝には前記硬貨任意数分の高さのスペーサを着脱可能とし、前記溝への前記スペーサの着脱の有無に対応して、前記コインベースと前記コインチューブとの間に１枚又は複数枚の硬貨を支持可能とし、
前記ペイアウトスライドに、前記溝内の前記任意数の硬貨を搬送するための、前記ペイアウトスライドから下方に延びる円筒状の硬貨搬送部を形成することにより、前記溝への前記スペーサの着脱の有無に対応して、前記ペイアウトスライドの硬貨収納穴に１枚又は前記複数枚の硬貨を収納可能とし、且つ、円筒状の前記硬貨搬送部の一部を切り欠くことにより、前記溝に装着された前記スペーサを払出動作時に逃がす隙間を形成して、前記ペイアウトスライドを前記スペーサの着脱の有無に拘わらず払出動作可能として、１枚又は前記複数枚の硬貨を払出可能とした、
ことを特徴とする。
【図面の簡単な説明】
【０００７】
【図１】従来の硬貨処理装置の要部の待機状態を概略的に示す平面説明図。
【図２】本発明の原理を説明するための図で、複数種類の硬貨をコインベースで支持している状態を示す平面図。
【図３】（ａ）は図２のIIIａ―IIIａ線に沿った断面図、（ｂ）は硬貨Ｃ４を２枚支持した状態の図、（ｃ）は溝にスペーサを取り付けた状態の図、（ｄ）は硬貨Ｃ４を１枚支持した状態の図、（ｅ）は従来の硬貨Ｃ１−Ｃ５の支持状態の図。
【図４】図４（ａ）は本発明の硬貨処理装置の全体を示す分離斜視図であり、（ｂ）はペイアウトアセンブリ１０５Ａを示し、ペイアウトリンク１１１にチェンジスライド９ｄを裏面を上にした状態で取り付けた状態を示す図。
【図５】（ａ）、（ｂ）は、硬貨Ｃ４を２枚払い出す場合における各部材が重なった状態のそれぞれ別方向から見た斜視図。
【図６】硬貨Ｃ４の２枚払い出しの場合における、硬貨Ｃ１−Ｃ５とペイアウトスライド５とコインベース１の重なり状態を説明するための分離斜視図。
【図７】（ａ）、（ｂ）は、コインベース１をそれぞれ異なる方向から見た斜視図。
【図８】（ａ）、（ｂ）はこのコインベースの平面図、正面図、（ｃ）は（ａ）のｃ−ｃ線に沿った断面図。
【図９】（ａ）、（ｂ）、（ｃ）は、２枚の硬貨Ｃ４と１枚の硬貨Ｃ１−Ｃ３、Ｃ５をコインベース１で支持している状態の平面図、側面図、断面図を示す。
【図１０】（ａ）、（ｂ）は、ペイアウトリンクのそれぞれ異なる方向から見た斜視図である。
【図１１】（ａ）はペイアウトスライドの斜視図、（ｂ）は裏からみた斜視図。
【図１２】（ａ）は図１１（ａ）のペイアウトスライドの硬貨収納穴６の近傍のみを拡大して示した斜視図、（ｂ）はその部分の平面図、（ｃ）は（ｂ）のｃ−ｃ線に沿った断面図、（ｄ）は硬貨Ｃ４を２枚収納した状態を示す断面図。
【図１３】（ａ）、（ｂ）は、チェンジスライドの表面を上にした状態と裏面を上にした状態の斜視図。
【図１４】図１３（ｂ）におけるＸＩＶ―ＸＩＶ線に沿った縦断面図。
【図１５】（ａ）、（ｂ）は、第１の動作時における、チェンジスライド９ｄのペイアウトリンク１１１への取り付け状態を示すものであり、（ｂ）は平面図、（ａ）はそのａ−ａ線断面図。
【図１６】（ａ）、（ｂ）、（ｃ）はチェンジスライドが２枚の硬貨Ｃ４をレベルＬ２で支持している場合の平面図、側面図及び（ａ）のｃ−ｃ線断面図。
【図１７】（ａ）、（ｂ）は、第２の動作時における、チェンジスライドのペイアウトリンクへの取り付け状態を示すものであり、（ｂ）は平面図、（ａ）はそのａ−ａ線断面図。
【図１８】図１８（ａ）、（ｂ）、（ｃ）はチェンジスライドの裏面（第２支持面）が１枚の硬貨Ｃ４をレベルＬ１で支持している場合の平面図、側面図及び（ａ）のｃ−ｃ線断面図。
【図１９】硬貨処理装置の第１の動作（複数枚払出動作）モードでの待機状態を示す断面説明図。
【図２０】硬貨処理装置の第１の動作（複数枚払出動作）モードでのそれに続く動作を示す断面説明図。
【図２１】硬貨処理装置の第１の動作（複数枚払出動作）モードでのそれに続く動作を示す断面説明図。
【図２２】硬貨処理装置の第１の動作（複数枚払出動作）モードでのそれに続く動作断面説明図。
【図２３】（ａ）、（ｂ）はスペーサの取り付け状態におけるペイアウトアセンブリの異なる方向から見た斜視図。
【図２４】（ａ）、（ｂ）はコインベース１の異なる方向から見た斜視図。
【図２５】（ａ）、（ｂ）はスペーサの表面、裏面から見た斜視図。
【図２６】（ａ）、（ｂ）は硬貨Ｃ４を１枚払い出す場合のコインベース１とペイアウトスライド５の重なり状態を示すそれぞれ異なる方向から見た斜視図。
【図２７】（ａ）、（ｂ）、（ｃ）は、ペイアウトスライドの硬貨収納穴の近傍とスペーサを部分的に示す斜視図、平面図、図（ｂ）のｃ−ｃ線断面図。
【図２８】図６に対応するもので、１枚の硬貨Ｃ４を払い出しする場合における硬貨Ｃ１−Ｃ５、ペイアウトスライド、コインベースの重なり具合を説明するための分離斜視図。
【図２９】（ａ）、（ｂ）は、硬貨Ｃ１−Ｃ５のコインベースによる実際の支持状態における両者の重なり状態を示した平面説明図、正面図、（ａ）のｃ−ｃ線に沿った断面図。
【図３０】硬貨処理装置の第２の動作（複数枚払出動作）モードでの待機状態を示す断面説明図。
【図３１】硬貨処理装置の第２の動作（複数枚払出動作）モードでのそれに続く動作を示す断面説明図。
【図３２】硬貨処理装置の第２の動作（複数枚払出動作）モードでのそれに続く動作を示す断面説明図。
【図３３】硬貨処理装置の第２の動作（複数枚払出動作）モードでのそれに続く動作断面説明図。
【発明を実施するための形態】
【０００８】
本発明の具体的な実施形態を説明するに先立ち、従来の装置との関係で、本発明の原理的な装置を説明する。
【０００９】
従来の一般的な硬貨処理装置では、それぞれ各種類の硬貨を収納する複数のコインチューブの下端の下方に、所定の隙間を介してコインベースが配置されている。その隙間から１払出動作で払い出し対象とされる各種類の硬貨を１枚ずつペイアウトスライドアウトによって硬貨落下口に搬送し、落下させて釣銭受け口から払い出しされる。
【００１０】
図１は、従来の硬貨処理装置の要部の待機状態を概略的に示す平面説明図である。コインチューブ（図示せず）からの硬貨Ｃ１−Ｃ５は選択的にペイアウトアセンブリ２０２（ペイアウトリンク２０３、ペイアウトスライド２０４、複数のチェンジスライド２０５ａ―２０５ｅ）によって払い出される。
【００１１】
より詳しくは、例えば、硬貨Ｃ４について着目すると、図１の待機状態においては、硬貨Ｃ４はペイアウトスライド２０４における硬貨収納穴２０４ｄに入った状態にあり、且つ、この硬貨Ｃ４がコインベース２０１によって安定状態に支持されている。なお、この状態においては、チェンジスライド２０５ｄの先端が前記硬貨Ｃ４の先端側の下面に入りこんでいるが、この状態では必ずしもチェンジスライド２０５ｄが硬貨Ｃ４を支持する必要はなく、チェンジスライド２０５ｄは払出動作開始後に硬貨Ｃ４の下面の先端側を支持すればよい。これは以下で説明する本発明においても同様である。この状態から硬貨Ｃ４を払い出すには、チェンジスライド２０５ｄに対応するチェンジレバー（図示せず）を上げ、ペイアウトカム（図示せず）を回転させてペイアウトリンク２０３を矢印ＡＲ方向に移動させる。この移動に伴って、ペイアウトスライド２０４とチェンジスライド２０５ｄも同方向へ移動する。これにより、硬貨Ｃ４は矢印ＡＲ方向に搬送され、チェンジスライド２０５ｄの移動に伴って口の広がった硬貨落下口２０１ｄから下方へ落下し払い出しされる。これは他の硬貨Ｃ１−Ｃ５についても同じである。このように、従来の装置では、各硬貨を１枚いずつ払い出していた。
【００１２】
これに対し、本発明では、ある特定の硬貨、例えば硬貨Ｃ４については、１枚の払出動作（第１の動作）と、２枚等の複数の払出動作（第２の動作）を切替可能としている。つまり、本発明では、払出動作として、モードの異なる第１の動作と第２の動作とを切り替え可能としている。つまり、前記第１の動作では、すべての種類の硬貨Ｃ１−Ｃ５のうちの払い出し対象とする硬貨を１枚ずつ払い出し可能としている。前記第２の動作では、ある特定の種類の硬貨Ｃ４を複数枚（ここでは２枚）、それ以外の硬貨は１枚ずつ払い出可能としている。なお、以上の説明では、１枚の硬貨Ｃ４のみについて１枚と複数枚の払い出しを切替られるようにしたが、任意複数枚の硬貨について払い出し枚数を１枚と複数枚の払い出しを切り替え可能としてもよいのは当然である。
【００１３】
このように動作モードを切り替えを可能とした本発明では以下の構成を採用している。ここでは、１枚と２枚の切り替えを行う実施形態について説明する。
【００１４】
本発明の原理を説明するための図２から分かるように、コインベース１の硬貨Ｃ４に対応する部分に座ぐりのようにして、硬貨Ｃ４の直径よりもやや大きく且つ表面（第１硬貨支持面）より硬貨Ｃ４の厚さ分だけ一段下がった底面（第２硬貨支持面）を有する溝２を形成している。この溝２の縦断面は図３（ａ）に示される。図３（ａ）は図２のIIIａ―IIIａ線に沿った断面図である。図３（ａ）から分かるように、硬貨処理装置全体において、コインベース１の表面の高さをレベルＬ１（第１レベル）とした場合に、溝２の底面の高さは硬貨Ｃ４の厚さ分下がったレベルＬ２（第２レベル）となっている。
【００１５】
従来の装置においては、硬貨Ｃ１−Ｃ５は、コインベース１上に図３（ｅ）にしめされるように１枚ずつ支持されている。
【００１６】
これに対し、本発明では、硬貨Ｃ４を２枚払い出す場合には溝２をこのままの状態として使用し、硬貨Ｃ４を１枚払い出す場合には図３（ｃ）に示すように溝２の底面にスペーサ３を付設して溝２の底面を持ち上げる。つまり、溝２の底面の高さをレベルＬ２からレベルＬ１に変化させる。
【００１７】
即ち、硬貨Ｃ４を２枚払い出す場合には、図３（ｂ）に示すように、硬貨Ｃ４をコインベース１の溝２の内部に１枚、もう１枚を溝２から飛び出た状態にして、都合２枚の硬貨Ｃ４をコインベース１の溝２で支持する。その他の硬貨Ｃ１−Ｃ３、Ｃ５は、図３（ｂ）に示すように１枚ずつコインベース１の表面上で支持する。
【００１８】
また、他の硬貨Ｃ１−Ｃ３、Ｃ５の払い出しとは無関係に、硬貨Ｃ４を１枚だけ払い出す場合には、図３（ｃ）に示すように、コインベース１の溝に、着脱可能なスペーサ３を予め取り付ける。この状態として硬貨Ｃ４は溝２内に入り込まないようにして、都合１枚の硬貨Ｃ４を支持する。この状態が図３（ｄ）に示される。
【００１９】
さらに本発明では、図１のチェンジスライド２０５ｄに相当するチェンジスライド９ｄ（図５（ａ）、（ｂ）、図１３（ａ）、（ｂ）と、ペイアウトリンク２０３に相当するペイアウトリンク１１１（図５（ａ）、（ｂ）、図１０）に工夫を施している。つまり、チェンジスライド９ｄをペイアウトリンク１１１に表面を上にした状態（図１３（ａ））で差し込んだ場合には２枚の硬貨Ｃ４の下側のものの裏面の基端を支持し、裏面を上にした状態（図１３（ｂ））で差し込んだ場合には１枚の硬貨Ｃ４の裏面の基端を、特に払出動作時に、支持するようにしている。
【００２０】
さらに、本発明では、図１のペイアウトスライド２０４に相当するペイアウトスライド５（図５、図６、図１１）に工夫を施している。つまり、コインベース１上に２枚の硬貨Ｃ４が乗っていても（図３（ｂ））、１枚の硬貨Ｃ４が乗っていても（図３（ｄ））、前記ペイアウトスライド５は、前記スペーサ３の影響を受けること無く矢印ＡＲ方向（硬貨払出方向）にペイアウトリンク１１１と共にスライドし、２枚又は１枚の硬貨Ｃ４を運んで硬貨落下口（縁）２０１ｄから落下させるようにしている。
【００２１】
以上の説明で本発明の原理的な構成が理解されたと思うが以上で使用した図も用いて以下に本発明のより具体的な実施形態をさらに説明する。
【００２２】
先ず、本発明の装置の全体的な構成について説明する。以下には前記第１の動作を行う場合の構成を主体的に且つ第２の動作を行う場合の構成を交えながら説明する。
【００２３】
図４（ａ）は本発明の硬貨処理装置の全体を示す分離斜視図である。図４（ａ）において、硬貨処理装置本体１０１の下部は底蓋１０２によって塞がれるようになっている。この硬貨処理装置本体１０１には、前記硬貨処理装置本体１０１に組み込まれる複数のコインチューブを有するコインチューブ部１０３と、このコインチューブ部１０３の底に取り付けられる前記コインベース１と、これらの間から選択的に硬貨Ｃ１−Ｃ５を抜き出して払い出しさせるペイアウトアセンブリ１０５と、を備えている。ペイアウトアセンブリ１０５は、図４（ａ）では多少見にくいものの、ペイアウトリンク１１１と、ペイアウトスライド５とチェンジスライド９ａ―９ｅと、を備えている。
【００２４】
尚、図４（ａ）において、ペイアウトスライド５が見えていないのは、ペイアウトスライド５はコインチューブ部１０３に係合して一体となった状態で、硬貨処理装置本体１０１から取り外されており、このため、この斜視図では、ペイアウトスライド５はコインチューブ部１０３に隠されているためである。
【００２５】
より詳しくは、ペイアウトスライド５は、コインチューブ部１０３が硬貨処理装置本体１０１に装着された時、ペイアウトリンク１１１と係合する。これにより、ペイアウトスライド５はペイアウトリンクの移動に伴って動くが、コインチューブ部１０３を硬貨処理装置本体１０１から取り外した際には、両者の係合が外れて、ペイアウトスライド５はコインチューブ１０３と一体になって硬貨処理装置本体１０１から分離される。このように、コインチューブ部１０３とペイアウトスライド５は両者一体となった状態で硬貨処理装置本体１０１から取り外し可能となっている。このように構成したのは、コインチューブ部１０３を硬貨処理装置本体１０１から取り外しても、チューブ部１０３の各コインチューブ内の硬貨が各コインチューブの下端から落下することがないようにして、コインチューブ部１０３を各チューブに硬貨を収容した状態で持ち運びを可能とするためである。
【００２６】
図５（ａ）は、チェンジスライド９ｄを表面を上にした状態（図１３（ａ））でペイアウトリンク１１１に取り付けた状態を示しており、前記第１の動作時に使用される。なお、図４（ｂ）に示すペイアウトアセンブリ１０５Ａは、ペイアウトリンク１１１にチェンジスライド９ｄが裏面を上にした状態（図１３（ｂ））で取り付けられた状態を示している。このペイアウトアセンブリ１０５Ａは、後述するように、前記第２の動作を行う場合に使用される。
【００２７】
図５（ａ）、（ｂ）は、前述の第１の動作、つまり硬貨Ｃ４を２枚払い出す場合における各部材が重なった状態のそれぞれ別方向から見た斜視図を示している。つまり、ペイアウトリンク１１１に対して、ペイアウトスライド５とチェンジスライド９ａ―９ｅが組み込まれている。つまり、駆動機構としてのペイアウトカム（図示せず）の回転に伴ってペイアウトリンク１１１が矢印ＡＲの払出方向へ移動すると、それに伴ってペイアウトスライド５とチェンジスライド９ａ―９ｅもその矢印ＡＲの方向へ移動するように、ペイアウトスライド５とチェンジスライド９ａ―９ｅがペイアウトリンク１１１に対して差込状態に取り付けられている。さらに、前と同様に、チェンジスライド９ａ―９ｅは、複数のチェンジレバー（図示せず）の対応するものが上がっている払出動作時には前記ペイアウトリンク１１１と共に矢印ＡＲ方向へ移動する。一方、チェンジレバーが下がっている非払出動作時には前記移動が制限されて移動できない。しかし、ペイアウトリンク１１１が矢印ＡＲと反対方向に復帰動作する時には、チェンジスライドとペイアウトリンク１１１の係合関係は、再び元の状態に戻るようになっている。また、図５（ａ）、（ｂ）から分かるように、このようなペイアウトリンク１１１の下方にはコインベース１が位置している。このコインベース１の一部が、ペイアウトスライド５の硬貨収納穴６ａ−６ｅから見えている。
【００２８】
図６は硬貨Ｃ４の２枚払い出しの場合における、硬貨Ｃ１−Ｃ５とペイアウトスライド５とコインベース１の重なり状態を説明するための分離斜視図である。
【００２９】
図７（ａ）、（ｂ）は、コインベース１をそれぞれ異なる方向から見た斜視図である。コインベース１の溝２の底面には、スペーサ３の脚３ｂを挿入して着脱可能に固定するための脚挿入スリット２ａが穿けられている。図８（ａ）、（ｂ）はこのコインベース１の平面図、正面図であり、（ｃ）は（ａ）のｃ−ｃ線に沿った断面図である。図９（ａ）、（ｂ）、（ｃ）は、２枚の硬貨Ｃ４と１枚の硬貨Ｃ１−Ｃ３、Ｃ５をコインベース１に乗せた状態の平面図、側面図、断面図を示す。
【００３０】
なお、例えば図８（ａ）において、１ａは、図１の２０１ａと同様の、コインベース１の縁によって構成される硬貨落下口を示す。
【００３１】
図１０（ａ）、（ｂ）は、ペイアウトリンク１１１のそれぞれ異なる方向から見た斜視図である。これらの図から分かるように、チェンジスライド９ａ―９ｅが挿入状態に取り付けられる挿入口１１１ａ―１１１ｅを備えている。挿入口１１１ａ―１１１ｅのうちの挿入口１１１ｄは先にも簡単に述べたが、チェンジスライド９ｄを表面を上にした状態と裏面を上にした状態で、硬貨を支持する面がレベルＬ２、レベルＬ１と異なるように被挿させるものとして構成されている。これについては追ってより詳しく説明する。
【００３２】
図１１（ａ）はペイアウトスライド５の斜視図であり、（ｂ）は裏からみた斜視図である。これらの図から分かるように、ペイアウトスライド５は硬貨収納穴６ａ−６ｅを備えている。
【００３３】
図１２（ａ）は図１１（ａ）のペイアウトスライド５の硬貨収納穴６ｄの近傍のみを拡大して示した斜視図であり、（ｂ）はその部分の平面図、（ｃ）は（ｂ）のｃ−ｃ線に沿った断面図、（ｄ）は硬貨Ｃ４を２枚収納した状態を示す。
【００３４】
特に図１２（ａ）―（ｃ）から分かるように、ペイアウトスライド５は、硬貨収納穴６ｄの部分に、２枚の硬貨Ｃ４を引き出すための本体から下に垂れ下がったほぼ円筒状の硬貨搬送部７を有する。図１２（ｄ）から分かるように、ペイアウトスライド５の移動に伴って２枚の硬貨Ｃ４を引き出し、搬送可能である。ただし、後述するように、スライド時にスペーサ３を逃がすための隙間７ａが形成されている。よって、以上の説明から分かるように、硬貨引出部７は図示の構成である必要は無く、前記第１の動作時には２枚の硬貨Ｃ４を引き出して搬送でき、第２の動作時にはスペーサ３を避けてスライドして１枚の硬貨Ｃ４を引き出しできる構造であればよい。
【００３５】
図１３（ａ）、（ｂ）前記チェンジスライド９ｄの表面を上にした状態（（ａ））と裏面を上にした状態（（ｂ））の斜視図であり、表面と裏面の両方に硬貨支持面９ｄ２ａ、９ｄ２ｂを有するものである。このチェンジスライド９ｄの図１３（ｂ）におけるＸＩＶ―ＸＩＶ線に沿った縦断面図は図１４に示される。このチェンジスライド９ｄは、表面を上にした時に２枚の硬貨Ｃ４を、裏面を上にした時に１枚の硬貨Ｃ４を支持するものである。より詳しくは、チェンジスライド９ｄは基端部９ｄ１と支持部９ｄ２を有し、支持部９ｄ２の表面の第１支持面９ｄ２ａで２枚の硬貨Ｃ４を支持し、裏面の第２支持面９ｄ２ｂで１枚の硬貨Ｃ４を、特に払出動作中に、支持する。
【００３６】
図１５（ａ）、（ｂ）は、前記第１の動作時における、チェンジスライド９ｄのペイアウトリンク１１１への取り付け状態を示すものであり、（ｂ）は平面図、（ａ）はそのａ−ａ線断面図である。ペイアウトリンク１１１への取り付け状態におけるチェンジスライド９ｄの表面（第１支持面）９ｄ２ａは前記レベルＬ２にある。レベルＬ２にある前記表面（第１支持面）９ｄ２ａが硬貨Ｃ４を２枚支持している状態は図１６（ａ）、（ｂ）、（ｃ）に示される。つまり、図１６（ａ）、（ｂ）、（ｃ）はチェンジスライド９ｄが２枚の硬貨Ｃ４をレベルＬ２で支持している場合の平面図、側面図及び（ａ）のｃ−ｃ線断面図である。
【００３７】
図１７（ａ）、（ｂ）は、前記第２の動作時における、チェンジスライド９ｄのペイアウトリンク１１１への取り付け状態を示すものであり、（ｂ）は平面図、（ａ）はそのａ−ａ線断面図である。ペイアウトリンク１１１への取り付け状態におけるチェンジスライド９ｄの裏面（第２支持面）９ｄ２ｂは前記レベルＬ１にある。レベルＬ１にある前記裏面（第２支持面）９ｄ２ｂが硬貨Ｃ４を１枚支持している状態は図１８（ａ）、（ｂ）、（ｃ）に示される。つまり、図１８（ａ）、（ｂ）、（ｃ）はチェンジスライド９ｄの裏面（第２支持面）９ｄ２ｂが１枚の硬貨Ｃ４をレベルＬ１で支持している場合の平面図、側面図及び（ａ）のｃ−ｃ線断面図である。
【００３８】
図１９―図２２は、以上に説明した各構成部材の組み立て状態において硬貨処理装置の第１の動作（複数枚払出動作）モードでの要部を示すものである。つまり、これらの図は、硬貨Ｃ４を２枚払い出す場合の各動作状態を示す縦断面図であり、図１９は待機状態、図２０、２１は硬貨払出動作経過状態、図２２は硬貨払出動作状態を示す。これらの図には、チェンジレバー２１ｄとそれを駆動するアクチュエータ２２ｄも示している。以下にこれらの図に基づいて払出動作を説明する。
【００３９】
図１９は、前述のように待機状態である。この状態ではコインチューブ１０３とコインベース１との間に位置するペイアウトスライド５の硬貨収納穴６ｄ内に２枚の硬貨Ｃ４が収納されている。この状態で、チェンジレバー２１をソレノイド２２により引き上げて、チェンジスライド９ｄの矢印ＡＲ方向への移動を可能とする。この後、ペイアウトカム（図示せず）によりペイアウトリンク１１１を駆動して、前記ペイアウトリンク１１１とペイアウトスライド５とチェンジスライド９ｄのアセンブリ１０５を矢印ＡＲ方向に移動させる。前記アセンブリ１０５が矢印ＡＲ方向に移動することにより前記２枚の硬貨Ｃ４は図中右側に搬送され順次図２０、図２１の状態となる。
【００４０】
さらに前記アセンブリ１０５が矢印ＡＲ方向に移動することにより図２２の状態となり、２枚の硬貨Ｃ４が硬貨払出口（図示せず）に繋がる硬貨落下口１ａから落下し始める。
【００４１】
次に、第２の動作を行う場合について説明する。
この場合には、先にも簡単に述べたように、図４（ａ）のペイアウトアセンブリ１０５に代えて同図（ｂ）に示すペイアウトアセンブリ１０５Ａが用いられる。このペイアウトアセンブリ１０５Ａの詳細は図２３（ａ）、（ｂ）に示される。これらの図にはコインベース１も示されているのは先に説明した場合と同様である。これらの図から分かるように、チェンジスライド９ｄは裏面を上にした状態（図１８（ｃ））で前記ペイアウトリンク１１１に取り付けられている。
【００４２】
図２４（ａ）、（ｂ）に示すように、コインベース１の溝２の底面にはスペーサ３が取り付けられている。このスペーサ３は図２５（ａ）、（ｂ）にその詳細が示される。図２５（ａ）、（ｂ）から解るように、スペーサ３は、本体３ａと、４つの脚３ｂを有するものとして構成されている。前記脚３ｂが、コインベース１における溝２の底面の脚挿入スリット２ａに、抜き差し可能に且つ固着状態に挿入される。
【００４３】
図２６（ａ）、（ｂ）は、硬貨Ｃ４を１枚払い出す場合のコインベース１とペイアウトスライド５の重なり状態を示すそれぞれ異なる方向から見た斜視図である。図２７（ａ）、（ｂ）、（ｃ）、ペイアウトスライド５の硬貨収納穴６ｄの近傍とスペーサ３を部分的に示す説明図である。これらの図から、ペイアウトスライド５が矢印ＡＲ方向へスライドするときに、ペイアウトスライド５の硬貨搬送部７の隙間７ａが盛り上がった状態のスペーサ３を通過させるのが分かる。つまり、硬貨搬送部７は、硬貨搬送部７とそこに形成した隙間７ａによって、第１の動作時には２枚の硬貨Ｃ４を搬送し、第２の動作時にはスペーサ３の存在に拘わらず１枚の硬貨Ｃ４を搬送するように構成されている。
【００４４】
図２８は図６に対応するもので、１枚の硬貨Ｃ４を払い出しする場合における硬貨Ｃ１−Ｃ５、ペイアウトスライド５、コインベース１の重なり具合を説明するための分離斜視図である。図２９（ａ）、（ｂ）は、硬貨Ｃ１−Ｃ５がコインベース１で実際にどのような位置関係重なって支持されるかを示した平面説明図、正面図であり、（ｃ）は（ａ）のｃ−ｃ線に沿った断面図である。
【００４５】
図３０―図３３は、以上に説明した各構成部材の組み立て状態において硬貨処理装置の第２の動作（１数枚払出動作）モードでの要部を示すものである。つまり、これらの図は、硬貨Ｃ４を１枚払い出す場合の各動作状態を示す縦断面図であり、図３０は待機状態、図３１、３２は硬貨払出動作途中状態、図３３は硬貨払出状態を示す。これらの図には、チェンジレバー２１ｄとそれを駆動するアクチュエータ２２ｄも示しているのは前と同様である。以下にこれらの図に基づいて払出動作を説明する。
【００４６】
図３０は、いわゆる待機状態である。この状態ではコインチューブ１０３とコインベース１との間に位置するペイアウトスライド５の硬貨収納穴６ｄ内に１枚の硬貨Ｃ４が収納されている。この状態で、チェンジレバー２１をソレノイド２２により引き上げて、チェンジスライド９ｄの矢印ＡＲ方向への移動を可能とする。この後、ペイアウトカム（図示せず）によりペイアウトリンク１１１を駆動して、前記ペイアウトリンク１１１とペイアウトスライド５とチェンジスライド９ｄのアセンブリ１０５Ａを矢印ＡＲ方向に移動させる。前記アセンブリが矢印ＡＲ方向に移動することにより前記１枚の硬貨Ｃ４は図中右側に搬送され順次図３１、図３２の状態となる。
【００４７】
さらに前記アセンブリ１０５Ａが図中右方向に移動することにより図３３の状態となり、１枚の硬貨Ｃ４が払出口（図示せず）に繋がる硬貨落下口１ａから落下し始める。
【００４８】
以上に説明したように、本発明の実施形態においては、払い出す硬貨Ｃ４の枚数を２枚と１枚で切り替える際には、コインベース１の溝２へのスペーサ３の脱着と、チェンジスライド９ｄペイアウトリンク１１１への取り付け状態を表面を上にした状態と裏面を上にした状態での切り替えを、実行すればよい。
【００４９】
なお、以上の説明では、図３（ａ）、（ｂ）等から分かるように、複数払い出す硬貨Ｃ４の枚数を２とした場合について説明したが、この枚数を３あるいはその他の複数とすることができるのは前にも述べたように当然である。
【００５０】
また、以上の説明では、図３（ａ）、（ｂ）等から分かるように、硬貨Ｃ１−Ｃ５のうちの１つの硬貨Ｃ４についてのみ、１枚又は２枚（複数枚）の払い出しを切り替え可能としたが、硬貨Ｃ１−Ｃ５のうちの任意数のものについて上記のような切り替えを行うものとすることもできる。
【符号の説明】
【００５１】
１：コインベース１
１ａ：縁
２：溝
３：スペーサ
５：ペイアウトスライド５
６ａ−６ｅ：硬貨収納穴
７：硬貨搬送部
７ａ：隙間７ａ
９ａ―９ｅ：チェンジスライド
９Ｄ２ａ：第１硬貨支持面
９ｄ２ｂ：第２硬貨支持面
１０３：コインチューブ部１０３
１０５、１０５ａ：ペイアウトアセンブリ
１１１：ペイアウトリンク１１１
Ｌ１：第１レベルＬ１
Ｌ２：第２レベルＬ２
Ｃ１−Ｃ５：硬貨
【図１】
2015115033.tif 000003
【図２】
2015115033.tif 000004
【図３】
2015115033.tif 000005
【図４】
2015115033.tif 000006
【図５】
2015115033.tif 000007
【図６】
2015115033.tif 000008
【図７】
2015115033.tif 000009
【図８】
2015115033.tif 000010
【図９】
2015115033.tif 000011
【図１０】
2015115033.tif 000012
【図１１】
2015115033.tif 000013
【図１２】
2015115033.tif 000014
【図１３】
2015115033.tif 000015
【図１４】
2015115033.tif 000016
【図１５】
2015115033.tif 000017
【図１６】
2015115033.tif 000018
【図１７】
2015115033.tif 000019
【図１８】
2015115033.tif 000020
【図１９】
2015115033.tif 000021
【図２０】
2015115033.tif 000022
【図２１】
2015115033.tif 000023
【図２２】
2015115033.tif 000024
【図２３】
2015115033.tif 000025
【図２４】
2015115033.tif 000026
【図２５】
2015115033.tif 000027
【図２６】
2015115033.tif 000028
【図２７】
2015115033.tif 000029
【図２８】
2015115033.tif 000030
【図２９】
2015115033.tif 000031
【図３０】
2015115033.tif 000032
【図３１】
2015115033.tif 000033
【図３２】
2015115033.tif 000034
【図３３】
2015115033.tif 000035